(57)【要約】【課題】単一白色ランプを用い、ＣＣＤラインセンサが読取った各感度特性（ＲＧＢ）の画像データにおけるＳＮの向上を図り、かつドロップアウトカラー生成機能等に必要な各画像出力のバランスを維持する。【解決手段】ドロップアウトカラーとしてのＲＧＢの各モノクロ画像データは、出力レベルをバランスすることが求められ、そのために、蛍光ランプの点灯を制御して、カラーＣＣＤへの入射光量をＲＧＢの色間で変更する。単一ランプを用いるので、ＣＣＤのライン周期で発光量がＲＧＢでバランスするように、点灯を制御する。制御法は各色に適応して１発光周期のＤｕｔｙ（図１３）、１ラインあたりのランプ点灯回数を制御する方法を用いる。又、経時変化（特に青の蛍光体劣化による光源変動）に対応して制御条件の設定を変更可能とする。【選択図】　　図１３
2004112395.tif 000002
【特許請求の範囲】
【請求項１】
白色露光ランプと、該ランプにより照明された対象画像をライン走査方式で読み取る２種以上の光スペクトル感度特性を持つＣＣＤラインセンサと、該ＣＣＤラインセンサへの入射光量を変更する手段とを有し、前記ＣＣＤラインセンサが読み取った各感度特性の画像データからライン毎に使用する画像データを選択する画像読み取り装置であって、前記入射光量を変更する手段は、選択される前記画像データに応じて、ライン毎に前記ＣＣＤラインセンサへの入射光量を変更することを特徴とする画像読み取り装置。
【請求項２】
請求項１に記載された画像読み取り装置において、前記入射光量を変更する手段は、前記ＣＣＤラインセンサへの入射光量の変更を、前記白色露光ランプにより照明された基準部を読み取ったときにライン毎に選択される画像データの変化に応じて行うことを特徴とする画像読み取り装置。
【請求項３】
請求項１又は２に記載された画像読み取り装置において、前記白色露光ランプを点灯制御が可能なものとし、前記入射光量を変更する手段が、１ラインあたりのランプ点灯回数を制御する手段であることを特徴とする画像読み取り装置。
【請求項４】
請求項１乃至３のいずれかに記載された画像読み取り装置において、前記白色露光ランプを点灯制御が可能なものとし、前記入射光量を変更する手段が、１発光あたりの発光デューティを制御する手段であることを特徴とする画像読み取り装置。
【請求項５】
請求項１乃至４のいずれかに記載された画像読み取り装置を備えたことを特徴とする画像処理装置。
【発明の詳細な説明】
【０００１】
【発明の属する技術分野】
本発明は、カラー原稿を読み取るイメージスキャナ等の画像読み取り装置に関し、より特定すると、２種以上の光スペクトル感度特性を持つＣＣＤ（Ｃｈａｒｇｅ−Ｃｏｕｐｌｅｄ　Ｄｅｖｉｃｅ）ラインセンサが読み取った画像データの出力レベルに差が生じないように、各感度特性の画像読み取り毎にセンサへの入射光量を制御するようにした画像読み取り装置及び該画像読み取り装置を装備した画像処理装置（複写機、ファクシミリ等）に関する。
【０００２】
【従来の技術】
従来のカラー原稿を読み取るイメージスキャナー等の画像読み取り装置においては、原稿の照明に白色露光ランプを使用するが、このランプは蛍光材に、赤、緑、青の３種蛍光体を混合し塗布している。ランプ管内に封入された希ガスの放電によって生じた紫外線によって、塗布された各蛍光体が励起され、そこから３ピークの波長を発光し、白色の可視光になる。
一方、白色露光ランプにより照明されたカラー原稿は、それぞれに別々のスペクトル受光感度を持つ３ラインＣＣＤなどで光電変換される。３ラインＣＣＤは、３波長ピークの光を通すように設計されたフィルタと、フィルタを通して入射される原稿からの光を光電変換画像信号として出力する電荷結合素子を要素とするラインイメージセンサで、照明光に含まれる３波長ピークの光は、ほぼ赤→Ｒ、緑→Ｇ、青→Ｂの各色成分出力に変換される。従って、３ラインＣＣＤのライン毎の受光感度は各フィルタの特性による。
ＣＣＤラインセンサで光電変換し出力される画像データには、信号分とＣＣＤで発生するランダムノイズがあり、ＣＣＤへの入射光が減少すると、ノイズ成分は変わらない為、画像データのＳＮ比は悪くなり、画像品質は劣化する。なお、劣化した画像は、官能的には粗い、ざらついたイメージとなる。
【０００３】
このように、ＣＣＤラインセンサ出力は、露光ランプが発する光のスペクトル特性とＣＣＤの光スペクトル感度特性に依存し、当然、各特性の変動による影響を受ける。露光ランプに用いる蛍光体の一般的な特性として、電圧印加し発光直後にピークを得た後は蛍光体の残光で光を維持するが、赤、緑、青の各光はそれぞれ異なる特性に従って変化する。図１５は、この変化の様子を示す線図であり、（Ａ）（Ｂ）の各線図において、ランプが発光した時点でピークになった後の残光の経時変化を示している。特に、同図（Ａ）の青：Ｂの残光特性に示すように、青：Ｂは、同図（Ｂ）の赤：Ｒ、緑：Ｇ（ほぼＲ，Ｇは同じ特性を示す）に比べて時間が短く、従って光量が落ちやすい為、Ｂ波長領域の光エネルギー（光量の積算値）は少なく、ＳＮ比はＲ，Ｇよりも悪い。実際には、Ｂの画像データとして使用する際には、ＣＣＤ出力の増幅回路のゲイン値を高めに設定し、Ｒ，Ｇとのバランスを取るが、この方法による場合には、ノイズ成分も増幅される為、ＳＮの改善にはならない。
【０００４】
ところで、カラースキャナーの機能として、ＲＧＢの各画像データを得た後、その中の１種を用いて、モノクロデータ画像を生成する機能が有る（一般的に、この機能により作成されたモノクロデータ画像をドロップアウトカラーという）。これは、例えば、Ｒのデータを用いてモノクロ画像を作ると、赤い波長を多く出す原稿部分には、ＣＣＤ出力値はより高くなるので、この画像データ出力による印刷画像としては、明るく（白側へ飛んだ画像）なる。
このようにＲＧＢの画像データそれぞれから、モノクロ画像を作った場合、ＢのＳＮの劣化がＲ，Ｇに比べて著しくなり、印刷出力画像上においてもその違いが目立つようになってしまう。
従って、このようなドロップアウトカラー生成時の問題を解決しようとすると、ドロップアウトＢ選択時にＳＮの向上を図りながら、ＲＧ選択時との出力バランスを維持するという条件を満たすことがことが求められることになる。
【０００５】
【発明が解決しようとする課題】
このような、ＳＮの向上を図りながら、Ｒ，Ｇ，Ｂの出力バランスを維持する条件を具体化するために、従来のスキャナーでは、Ｒ，Ｇ，Ｂの３波長光源をそれぞれ１本ずつ計３本用意し、Ｒ，Ｇ，Ｂそれぞれの光源にＳＮの向上を図り、Ｒ，Ｇ，Ｂの出力バランスを維持するような発光条件を設定し、交互に点灯させるという試みもなされた。
しかしながら、光源レイアウトが思いの外大きくなり、部品点数、信頼性、ランプ差の影響などから、好ましい結果が得られない。
また、Ｒ，Ｇ，Ｂそれぞれの光源に対応して発光条件を設定するという上記した解決法を採った場合にも、従来では、青波長の蛍光体の経時劣化は赤、緑に比べ、著しく早く、この経時劣化が原因で起きるＳＮの低下やＲ，Ｇ，Ｂの出力のインバランスについて、考慮していなかった。その為、経時的にドロップアウトカラー生成機能等に必要とされるような出力レベルの揃ったＲＧＢ出力が維持されないという問題が生じていた。
本発明は、上述の従来技術の問題点に鑑みてなされたものであって、その目的は、白色露光ランプにより照明された対象画像をライン走査方式で読み取る２種以上の光スペクトル感度特性を持つＣＣＤラインセンサを有する画像読み取り装置において、単一の白色露光ランプを用い、ＣＣＤラインセンサが読み取った各感度特性の画像データにおけるＳＮの向上を図り、かつドロップアウトカラー生成機能等に必要とされるような各画像データ出力のバランスを維持すること、またこれらを経時的に保証することが可能な前記画像読み取り装置及び該画像読み取り装置を備えた画像処理装置（複写機、ファクシミリ、スキャナー及び上記の複合機、或いは画像データを蓄積するファイリング装置等）を提供することにある。
【０００６】
【課題を解決するための手段】
請求項１の発明は、白色露光ランプと、該ランプにより照明された対象画像をライン走査方式で読み取る２種以上の光スペクトル感度特性を持つＣＣＤ（Ｃｈａｒｇｅ−Ｃｏｕｐｌｅｄ　Ｄｅｖｉｃｅ）ラインセンサと、該ＣＣＤラインセンサへの入射光量を変更する手段とを有し、前記ＣＣＤラインセンサが読み取った各感度特性の画像データからライン毎に使用する画像データを選択する画像読み取り装置であって、前記入射光量を変更する手段は、選択される前記画像データに応じて、ライン毎に前記ＣＣＤラインセンサへの入射光量を変更することを特徴とする画像読み取り装置である。
【０００７】
請求項２の発明は、請求項１に記載された画像読み取り装置において、前記入射光量を変更する手段は、前記ＣＣＤラインセンサへの入射光量の変更を、前記白色露光ランプにより照明された基準部を読み取ったときにライン毎に選択される画像データの変化に応じて行うことを特徴とするものである。
【０００８】
請求項３の発明は、請求項１又は２に記載された画像読み取り装置において、前記白色露光ランプを点灯制御が可能なものとし、前記入射光量を変更する手段が、１ラインあたりのランプ点灯回数を制御する手段であることを特徴とするものである。
【０００９】
請求項４の発明は、請求項１乃至３のいずれかに記載された画像読み取り装置において、前記白色露光ランプを点灯制御が可能なものとし、前記入射光量を変更する手段が、１発光あたりの発光デューティを制御する手段であることを特徴とするものである。
【００１０】
請求項５の発明は、請求項１乃至４のいずれかに記載された画像読み取り装置を備えたことを特徴とする画像処理装置である。
【００１１】
【発明の実施の形態】
本発明を添付する図面とともに示す以下の実施形態に基づき説明する。
図１は、本発明の実施形態に係るカラー画像読み取り装置の全体構成を概略図にて示すものである。
図１を参照して、この実施形態のカラー画像読み取り装置（以下、「スキャナ」と記す）本体の構成を説明する。
原稿台ガラス８上に置かれた原稿は、第１ミラー３と一体に構成された照明ランプ２により照射され、その反射光は、原稿台ガラス８に沿って移動する第１ミラー３及び一体に構成された第２ミラー５、第３ミラー４により走査される。その後、反射光は、レンズ１により集束され、ＲＧＢの各色成分の光電変換画像を出力するカラーＣＣＤ（Ｃｈａｒｇｅ−Ｃｏｕｐｌｅｄ　Ｄｅｖｉｃｅ）ラインセンサ（以下、「カラーＣＣＤ」或いは単に「ＣＣＤ」と記す）カラーＣＣＤが搭載されたＳＢＵ（センサボードユニット）１０に照射されることによりＲＧＢに光電変換される。第１ミラー３、照明ランプ２及び第２ミラー５、第３ミラー４は、走行体モータ９を駆動源として、同図の左右方向に移動可能となっている。
【００１２】
次に、本例のＡＲＤＦ（自動両面原稿搬送装置）部に関する構成の説明を行う。原稿台１７の原稿ガイド１２に沿って積載された原稿は、片面原稿読み取りを選択した場合には呼び出しコロ１４、給紙ベルト１６により搬送コロ１５、分離コロ１７、第１搬送ローラ１８によりＤＦ用原稿ガラス６と反射ガイド板２０との間の読取位置を経て、第２搬送ローラ２１及び排紙ローラ２３へ送り込まれ、原稿が排出される。一方、両面原稿読み取りを選択した場合には、まず原稿の表面の読み取りを、上記した片面原稿読み取りを選択した場合と同様に、実施する。
原稿の表面の読み取りは、呼び出しコロ１４、給紙ベルト１６により搬送コロ１５、分離コロ１７、第１搬送ローラ１８によりＤＦ用原稿ガラス６と反射ガイド板２０との間の読取位置を経て、第２搬送ローラ２１及び排紙ローラ２３へ送り込まれ、原稿を排出せずに、分岐爪２４が下方へ切り換えられて反転ローラ２５により反転テーブル２６上へ移送される。原稿の後端が排紙ローラ２３を抜けた後に、分岐爪２４が上方へ切り換えられて一旦、反転ローラ２５が停止する。原稿の裏面の読み取りに移行すると、一旦、停止していた反転ローラ２５を上記とは逆方向へ回転させることにより原稿が反転テーブル２６から第１搬送ローラ１８の方向へ搬送され、更に第１搬送ローラ１８を経て表面と同様にＤＦ用原稿ガラス６と反射ガイド板２０との間の読取位置を経て、第２搬送ローラ２１及び排紙ローラ２３へ送り込まれ、その後、原稿が排出される。
【００１３】
原稿は、表面、裏面の読み取り共にＤＦ用原稿ガラス６と反射ガイド板２０との間の読取位置を通過する際に、読取位置の近傍に移動されている照明ランプ２により照射され、その反射光は、第１ミラー３及び一体に構成された第２ミラー５、第３ミラー４で走査される。その後反射光は、レンズ１により集束され、カラーＣＣＤが搭載されたＳＢＵ１０に照射されることによりＲＧＢ画像データに光電変換される。
ＡＲＤＦは、呼び出しコロ１４、給紙ベルト１６、搬送コロ１５、分離コロ１７の給紙機　構は給紙モータ（図示せず）により駆動されている。また、第１搬送ローラ１８、第２搬送ローラ２１、排紙ローラ２３、反転ローラ２５の搬送機構は搬送モータ（図示せず）により駆動されている。
さらに、ＡＲＤＦには、原稿を検知するために原稿台１７へ原稿がセットされているか否かを検知する原稿セットセンサ１３、原稿サイズを検知するための原稿幅サイズ検知センサ２８、原稿長さを検知するための第１原稿長サイズ検知センサ２９と第２原稿長サイズ検知センサ３０、原稿の後端を検知するための原稿後端検知センサ２７が搭載されている。
スキャナ本体には、スキャナ本体及びＡＲＤＦを含めたカラー画像読取装置全体の動作を制御するＳＣＵ（スキャナコントロールユニット）７が搭載されている。
【００１４】
図２は、本実施形態に係わる画像読み取り装置の回路構成を示す全体ブロック図である。
図３は、本実施形態に係わる画像読み取り装置の画像データの処理フローを示す図である。
図２及び図３を参照し、カラーＣＣＤによる光電読み取りから外部に出力されるまでの画像データの流れを説明する。
ＳＢＵ１０上のカラーＣＣＤ４７に入光した原稿の反射光は、カラーＣＣＤ４７内で光の強度に応じた電圧値を持つＲＧＢ各色成分のアナログ信号に光電変換される。ここでは、ＲＧＢ各色のアナログ信号は、奇数ビットと偶数ビットに分かれて出力される。
ＳＢＵ１０のアナログ画像信号は、ＶＩＯＢ３１上に設けたアナログ処理回路３２で暗電位部分が取り除かれ、奇数ビットと偶数ビットが合成され、所定の振幅にゲイン調整された後にＡ／Ｄコンバータ３３に入力され、デジタル信号化される。
デジタル化された各色の画像信号は、シェーディングＡＳＩＣ３４によりシェーディング補正されＶＩＯＢ３１からＳＣＵ７に入力される。ＳＣＵ７では、そこに設けたＲＩＰＵ３５で、ガンマ補正、ＭＴＦ補正等の画像処理が行なわれた後、同期信号、画像クロックとともにビデオ信号として出力される。ここでは、出力切り替えにより以下に示すように各回路部に出力される。
出力切り替えでＯＩＰＵ３６を選択して出力されたＲＩＰＵ３５からのビデオ信号は、ＯＩＰＵ３６内で所定の画像処理が行なわれ、再びＳＣＵ７へ入力される。再びＳＣＵ７へ入力されたビデオ信号は、ＶＩＤＥＯ入力切り換え回路３７に入力される。
ＶＩＤＥＯ入力切り換え回路３７のもう一方の入力はＲＩＰＵ３５から直接出力されたビデオ信号となっている。つまり、ＯＩＰＵ３６で画像処理するかしないかを、ＲＩＰＵ３５の出力切り替えにより選択できる構成となっている。
【００１５】
前記ＶＩＤＥＯ入力切り換え回路３７から出力されたビデオ信号は、画像データ記憶手段（ＳＤＲＡＭ）を管理するＳＩＢＣ２　３８に入力され、ＳＤＲＡＭで構成される画像メモリに蓄えられる。
画像メモリに蓄えられた画像データは、ＳＣＳＩコントローラ３９に送られ、パソコンやプリンタ等の外部装置へ転送される。
ＳＣＵ７上には、ＣＰＵ、ＲＯＭ、ＲＡＭ（何れも図示せず）が実装されており、ＣＰＵ（図示せず）は、ＳＣＳＩコントローラー３９を制御してＳＣＳＩ　Ｉ／Ｆによりパソコン等の外部装置との通信を行なう。
さらに、ＣＰＵ（図示せず）は、前記ＶＩＤＥＯ入力切り換え回路３７から出力されたビデオ信号をＩＥＥＥ１３９４コントローラ：ＩＳＩＣ４０を介してＩＥＥＥ１３９４　Ｉ／Ｆ、或いはネットワークスキャナコントローラ：ＮＩＣ４１を介してネットワーク　Ｉ／Ｆによりパソコンやプリンタ等の外部装置との通信を行なう。
【００１６】
また、ＳＣＵ７のＣＰＵ（図示せず）は、ＶＩＯＢ３１を介してスキャナ本体のステッピングモータよりなる走行体（スキャナ）モータ９のタイミング制御を、又、ＡＤＵ４２を介してＡＲＤＦの給紙モータ、同搬送モータのタイミング制御も行なっている。
ＡＤＵ４２は、ＡＲＤＦに用いる原稿の給紙や搬送を操作するためのクラッチ、ソレノイド、各種センサ等の電装部品の電力供給を中継する機能を有している。
ＳＣＵ７上のＣＰＵ（図示せず）に接続されている入力ポートは、ＶＩＯＢ３１を介して本体操作パネル：ＳＯＰ４３に接続されている。ＳＯＰ４３上にはスタートスイッチ（図示せず）とアボートスイッチ（図示せず）が実装されている。それぞれのスイッチが押下されると入力ポートを介してＣＰＵ（図示せず）はスイッチがＯＮされたことを検出する。ＣＰＵは走行体を移動するためのモータ制御も行う。
【００１７】
ここで、本実施形態のカラースキャナーが持つ機能であるドロップアウトカラー生成機能に関する画像データの処理について説明する。
ドロップアウトカラー生成機能は、読み取ったＲＧＢの各画像データの中の１種を用いて、モノクロデータ画像を作成する機能である。この機能により生成されるＲＧＢの各画像データは、出力レベルを揃えることが求められる。ＲＧＢの各出力レベルをバランスさせるために、本発明では、後記で詳述するようにカラーＣＣＤ４７への入射光量をＲＧＢの色間で変更するという方法を採用する。また、このカラーＣＣＤ４７への入射光量の変更を、ランプの点灯制御により発光量を変更するという手段を用いることにより実現する。本例の装置では、単一のランプ（ＲＧＢ各々に３つのランプを用いるという方法も可能であるのに対し）を用いることを前提としているので、ランプの点灯制御を行う際、ランプをＲＧＢの中の特定の色種に適応して制御すると、それ以外の色には適応不可になるといったことが生じる。従って、適応条件でランプを制御した場合に出力される画像データとして用いることができる有意な画像データを制御に対応して選択する必要がある。読み取り画像データの処理回路に、このような画像データの出力の選択を可能とする機能を備える必要がある。
【００１８】
図４は、ドロップアウトカラー生成機能に関する画像データの処理に係わる回路の概略ブロック図を示す。なお、図４中のＣＰＵ４５はＳＣＵ７の要素であり、同図中において、図２、図３と同一の構成要素については、共通の符号を付す。
図４を参照して、ドロップアウトカラー生成機能の動作時における画像読み取り処理について説明する。
ＳＢＵ１０上のカラーＣＣＤ４７によりＲＧＢ各々の奇数ビット、偶数ビット毎に光電変換されたアナログビデオ信号は、ＳＢＵ１０上のバッファ４８を介しＶＩＯＢ３１に入力される。
ＲＧＢ各々の奇数ビット、偶数ビット毎のアナログビデオ信号は、ＶＩＯＢ３１上のアナログ処理回路３２に入力される。アナログ処理回路３２に入力された信号は回路内の奇数ビット、偶数ビット毎に出力レベルを細かく可変できるゲインアンプを介し、偶数、奇数合成され、アナログビデオ信号として出力される。このゲインアンプのゲインコントロール端子にはＤ／Ａコンバータ４４が２チャンネル接続されており、Ｄ／Ａコンバータ４４の出力電圧をアナログ的に可変することでアナログビデオ信号に対するゲインを偶数、奇数毎に可変することができ、偶数、奇数合成後の信号レベルを一定化する。ゲインを調整するためのＤ／Ａコンバータ４４の出力電圧の設定は、ＳＣＵ７上のＣＰＵ４５が行う。Ｄ／Ａコンバータ４４は基準電圧５Ｖ、設定入力のビット数は８ビットであるため、出力電圧は０〜５Ｖまで２５５段階にＣＰＵ４５が設定できる。ＣＰＵ４５の設定は０〜２５５のデジタル整数である。
アナログ処理回路３２から出力される偶数、奇数合成されたアナログビデオ信号は、Ａ／Ｄコンバータ３３に入力される。Ａ／Ｄコンバータ３３は、このアナログビデオ信号を８ビットのデジタルビデオ信号に変換する。Ａ／Ｄコンバータ３３のリファレンス設定端子には、上記したアナログ処理と同様にＣＰＵ４５により制御されるＤ／Ａコンバータ４４が接続されており、Ｄ／Ａコンバータ４４のアナログ出力電圧を基準電圧として可変設定することで、Ａ／Ｄコンバータ３３のデジタル出力値を可変することができる。
このように、ＲＧＢのデジタル出力がＡ／Ｄコンバータ３３の各々のチャンネルから出力される。
スキャナに接続されるＰＣ（図示せず）や操作部（図示せず）から、ドロップアウトの色が指定されると、モノクロデータ生成時はこのＲＧＢ３チャンネルあるＡ／Ｄコンバータ３３の出力から指定された色のチャンネルを使用するための選択操作を行う。
【００１９】
次に、ドロップアウトカラー生成機能の使用時に設定される読み取り条件について説明する。
ドロップアウトカラー生成機能を使用する際に生成されるＲＧＢの各モノクロ画像データは、出力レベルを揃えることが求められる。ＲＧＢの各出力レベルをバランスさせるために、本発明では、カラーＣＣＤ４７への入射光量をＲＧＢの色間で変更するという方法を用いる。
本実施形態では、ＲＧＢの各色毎にカラーＣＣＤ４７への入射光量を変更する手段として、白色露光ランプ２の点灯の制御を可能とし、各色に適応して設定された条件に従ってランプを制御する。以下には制御方式を異にする実施形態として「実施形態１」〜「実施形態４」を示す。
「実施形態１」
図５は、本実施形態に係わる点灯制御が可能なランプ電圧印加回路のブロック図を示す。
図５を参照して、ランプ点灯動作について説明する。
ランプ１３３（図１，２における白色露光ランプ２）は、カラーＣＣＤ４７の走査ライン毎に設定された条件に従って点灯するので、各ラインの読取開始タイミングを規定するライン同期信号ＴＧ−ＩＮＶに同期させて、ランプへ点灯パルスを供給するインバータ回路１３１の発振部１３４を発振させる。発振部１３４から出力されるクロック信号に応じて点灯制御部１３５によりインバータ回路１３１を制御する。インバータ回路１３１からの点灯パルス出力は、昇圧トランス１３２を経由してランプ１３３に印加される。なお、点灯制御部１３５への入力ＣＮＴは、ランプ１３３のＯＮ／ＯＦＦ制御信号である。
図６は、点灯制御が可能なランプ回路への入力信号である、ランプＯＮ／ＯＦＦ信号ＣＮＴとライン同期信号ＴＧ−ＩＮＶのタイミングチャートを示したもので、同図に示すように、ＣＮＴとは別に点灯周波数の位相同期をとる目的でＴＧ−ＩＮＶを供給する。よって、ＣＮＴ信号とＴＧ−ＩＮＶ信号は非同期で供給しても構わない、また、ＣＮＴ信号のＯＮ，ＯＦＦは任意の時間とすることが可能である。
【００２０】
ここで、上記したランプ電圧印加回路（図５）によって実施し得る、発光量、即ちカラーＣＣＤへの入射光量の制御例を示す。
図７は、ライン同期信号ＴＧ−ＩＮＶとインバータ出力光波形のタイミングチャートを示したものである。同図に示す点灯条件としては、ＴＧ−ＩＮＶ周期Ｈｉｇｈ期間に対するオーバーラップはＦＥＴがＯＮしている期間として、ゲート電圧実測値ＯＮＤｕｔｙ＝２０．１％（３．０μｓ／１４．９μｓ）固定とし、ＴＧ−ＩＮＶがＬｏｗになってからＦＥＴがＯＮするまでの遅延時間Ｔはゲート電圧実測値２３．５μｓ固定として示したものである。
ライン同期信号ＴＧ−ＩＮＶ（ライン周期：２３８．０μｓ）間の発光回数を変えることにより、この期間の発光量を制御することができる。即ち、一定の周波数（周期：１４．９μｓ）で点灯しているランプ回路に対し、ＴＧ−ＩＮＶがＬｏｗになってからＦＥＴがＯＮするまでの遅延時間Ｔを短くすることにより、点灯回数を増加させることができる。本例では、図７をＲＧに適応した設定とした場合に、Ｂを選択したときには、１光波形分１４．９μｓ以上短くすることで、発光数を１だけ増加させることができ、ライン周期がほぼ光電蓄積時間となるので、図７に示す１５回→１６回となり、６．７％の光量の増加によりＢに対応する設定に変更が可能である。逆に、図７をＢに適応した設定として、今度はＲＧに対応させるときには、遅延時間Ｔを伸ばすことで、ＲもしくはＧ選択時の光量を落とすことにより、ＲＧに適応した設定に変更可能として、ＲＧＢのバランスをとるようにする。
【００２１】
「実施形態２」
上記実施形態１では遅延時間Ｔを変更することにより発光量を変える例を示したが、また、発振周波数を変更して発光量を変えることにより、同様の効果が得られる。本例では、点灯制御部に入力するクロックＣＬＫの周波数を変更することにより実施する。
図８は、本実施形態に係わる点灯制御が可能なランプ電圧印加回路のブロック図を示す。
図８を参照して、ランプ点灯動作について説明する。ランプ１５３（図１，２の白色露光ランプ２）は、カラーＣＣＤ４７の走査ライン毎に設定された条件に従って点灯するので、各ラインの読取開始タイミングを規定するライン同期信号ＴＧに同期させて、ＳＣＵ７により制御信号として生成されたクロック信号ＣＬＫ（可変周波数の）を点灯制御部１５４経由で、ランプ点灯パルスを供給するインバータ回路１５１に入力する。インバータ回路１５１からの点灯パルス出力は、昇圧トランス１５２を介してランプ１５３に印加される。なお、点灯制御部１５４への入力ＣＮＴは、ランプ１５３のＯＮ／ＯＦＦ制御信号である。
図８の回路例では、クロック信号ＣＬＫの生成をランプ回路内で行わないので、発振周波数の精度向上、発熱による周波数変動の低減、発振周波数の任意可変、発振・同期回路の削減などを実現できる。
ここで、上記したランプ電圧印加回路（図８）によって実施し得る、発光量、即ちカラーＣＣＤへの入射光量の制御例を示す。
図９は、ライン同期信号ＴＧとＣＬＫ信号のタイミングチャートを示したものである。同図に示す動作条件としては、ＴＧがＬｏｗになってからＦＥＴがＯＮするまでの時間を固定とし、ＦＥＴのＯＮ期間（固定）をＣＬＫ信号（周期：１３．０μｓ）により立ち上げるようにしている。
ライン同期信号ＴＧ（ライン周期：２３８．０μｓ）間のクロック信号ＣＬＫの発振周波数を変えることにより、この期間の発光量を制御することができる。よって、ＢとＲＧに適応した発振周波数を設定することにより、ＲＧＢのバランスをとることが可能になる。ＢとＲＧの例では、Ｂに対してＲＧに比べてより高い発振周波数を設定することにより発光量を増加させ、バランスをとるようにする。
【００２２】
「実施形態３」
上記各実施形態では、白色露光ランプ２の点灯制御によりＲＧＢの発光量のバランスをとることを可能にしたが、初期の設定条件が適正であっても、経時変化により適応しなくなるという状況を考慮していない。これは、特に白色露光ランプ２の経時変化によるもので、上記「従来の技術」の項に記述したように、例えば蛍光ランプにおいては、青波長の蛍光体の経時劣化は赤、緑に比べ、著しく早く、この経時劣化が原因で、初期の設定条件では、適応できなくなるということが起きる。本実施形態は、このような場合に、再び適正な条件を設定することを可能にすることを意図するものである。
この経時変化に対応する設定条件の変更は、適当な時期に実際にランプをチェックし、新たな適応条件への調整を行う。
具体的には、劣化により落ちてくる光量を基準体（白基準板）を照明して読み取った時の検出値により知り、この検出値がＲＧＢ共に２２０／２５６程度となるところを狙う。手順としては、アナログ処理回路３２を狙いの出力値とするためのゲイン調整量を得、その値に見合ったランプの調整値を求める。
経時的にはＢの劣化が進む為、Ｂのゲインは高くなる。このゲイン値を見て、上記実施形態１，２のように、周波数変更もしくは遅延時間の短縮を行い、ＲＧＢがバランスする光量になる条件を設定すれば、経時的な変化にも対応可能である。
【００２３】
「実施形態４」
上記実施形態１では点灯制御部に入力するクロックの遅延時間Ｔを変更することにより、また、上記実施形態２では点灯制御部に入力するクロックＣＬＫの周波数を変更することにより発光量を変える例を示したが、また、点灯パルスのデューティ（Ｄｕｔｙ）を変更して発光量を変えることにより、同様の効果が得られる。本例では、Ｄｕｔｙ制御部を設けることにより実施する。
図１０は、本実施形態に係わる点灯制御が可能なランプ電圧印加回路のブロック図を示す。
図１０を参照して、ランプ点灯動作について説明する。ランプ１７３（図１，２の白色露光ランプ２）は、カラーＣＣＤ４７の走査ライン毎に設定された条件に従って点灯するので、各ラインの読取開始タイミングを規定するライン同期信号ＴＧ−ＩＮＶに同期させて、ランプへ点灯パルスを供給するインバータ回路１３１の発振部１３４を発振させる。発振部１３４から出力されるクロック信号に応じて点灯制御部１３５によりインバータ回路１３１を制御する。インバータ回路１３１からの点灯パルス出力は、昇圧トランス１３２を経由してランプ１３３に印加される。なお、点灯制御部１３５への入力ＣＮＴは、ランプ１３３のＯＮ／ＯＦＦ制御信号である。また、電流検出部１７６は、ランプ点灯電流をモニタ−抵抗、コンデンサにより電圧に変換・検出示、これをＤｕｔｙ制御部１７７に入力する。Ｄｕｔｙ制御部１７７は、この検出値により一定の電流がランプに流れるように、１発光あたりのＯＮ時間を決定し、インバータへ点灯時間を入力する。さらにＤｕｔｙ制御部１７７には、プレーン信号Ｐｌａｎｅが入力され、ＲＧＢどのプレーンを選択するかにより予め用意した値のＤｕｔｙを決める。
図１１は、このランプ回路への入力信号である、ランプＯＮ／ＯＦＦ信号ＣＮＴとライン同期信号ＴＧ−ＩＮＶのタイミングチャートを示したもので、同図に示すように、ＣＮＴとは別に点灯周波数の位相同期をとる目的でＴＧ−ＩＮＶを供給する。よって、ＣＮＴ信号とＴＧ−ＩＮＶ信号は非同期で供給しても構わない、また、ＣＮＴ信号のＯＮ，ＯＦＦは任意の時間とすることが可能である。
【００２４】
ここで、上記したランプ電圧印加回路（図１０）によって実施し得る、発光量、即ちカラーＣＣＤへの入射光量の制御例を示す。
図１２は、ライン同期信号ＴＧ−ＩＮＶとインバータ出力光波形のタイミングチャートを示したものである。同図に示す点灯条件としては、ＴＧ−ＩＮＶ周期Ｈｉｇｈ期間に対するオーバーラップはＦＥＴがＯＮしている期間として、ゲート電圧実測値ＯＮＤｕｔｙ＝２０．１％（３．０μｓ／１４．９μｓ）固定とし、ＴＧ−ＩＮＶがＬｏｗになってからＦＥＴがＯＮするまでの遅延時間Ｔはゲート電圧実測値２３．５μｓ固定とした場合を例示したものである。次いで、点灯パルスのデューティ（Ｄｕｔｙ）を変更してＲ，Ｇ及びＢ時の発光量を変更する場合の発光タイミングについて説明する。
図１３は、Ｒ，Ｇ及びＢ時の１発光タイミングの概念を示す図である。図１３に示すように、Ｒ，Ｇ時は、上記のようにゲート電圧実測値ＯＮＤｕｔｙ＝２０．１％（３．０μｓ／１４．９μｓ）としているが、Ｂ時はＤｕｔｙ＝２３．５％（３．５μｓ／１４．９μｓ）に増加させ、Ｂに適応した設定に変更して、Ｒ，Ｇ，Ｂのバランスをとるようにする。
【００２５】
「実施形態５」
上記実施形態４では、白色露光ランプ２の点灯パルスのデューティ（Ｄｕｔｙ）を変更することによりＲＧＢの発光量のバランスをとることを可能にしたが、初期の設定条件が適正であっても、経時変化により、特に白色露光ランプ２が例えば蛍光ランプである場合、青波長の蛍光体の経時劣化は赤、緑に比べ、著しく早く、こうした経時劣化が原因で、初期の設定条件では、適応できなくなるということが起きる。本実施形態は、このような場合に、再び適正な条件を設定することを可能にすることを意図するものである。
この経時変化に対応する設定条件の変更は、適当な時期に実際にランプをチェックする。具体的には、劣化により落ちてくる光量の変化を基準体（白基準板）を照明して読み取った時の検出値により知る。手順としては、アナログ処理回路３２のＲＧＢ出力値が、共に２２０／２５６程度となるところを狙いとして、ゲイン調整量を得、その値に見合ったランプの点灯パルスのＤｕｔｙの変更を行う。
経時的にはＢの劣化が進むため、Ｂのゲインは高くなる。このゲイン値を見て、上記実施形態４のようにＤｕｔｙ変更を行い、ＲＧＢがバランスする光量になる条件を設定すれば、経時的な変化にも対応可能である。
図１４は、経時変化に対応して変更したＤｕｔｙを例示する。ここでは、Ｂに対する例を示す。図１４に示すように、
初期Ｄｕｔｙ＝２３．５％（３．５μｓ／１４．９μｓ）
１００Ｈ後のＤｕｔｙ＝２４．２％（３．６μｓ／１４．９μｓ）
２００Ｈ後のＤｕｔｙ＝２５．５％（３．８μｓ／１４．９μｓ）
３００Ｈ後のＤｕｔｙ＝２７．５％（４．１μｓ／１４．９μｓ）
となり、経時的にＤｕｔｙを増加させることにより、常に一定の照度を得ることが可能になる。
【００２６】
また、上記した各実施形態に示す画像読み取り装置は、複写機、ファクシミリ、及びこれらの複合機、或いは画像データを蓄積するファイリング装置等の画像処理装置の画像読み取り部として装備することにより該画像処理装置を構成し得る。複写機、ファクシミリ、及びこれらの複合機、或いは画像データを蓄積するファイリング装置等の画像処理装置を構成するときには、各画像処理装置の仕様に従い出力側にデータ処理部や画像形成部を組み合わせる必要があるが、これらの組み合わせる構成部分は既存の技術を適用することが可能であり、このような既存の技術を適用することにより、実施することができる。
【００２７】
【発明の効果】
（１）　請求項１の発明に対応する効果
ＣＣＤラインセンサが読み取った各感度特性の画像データからライン毎に使用データとして選択される画像データに応じて、ライン毎にＣＣＤラインセンサへの入射光量を変更するようにしたので、ＲＧＢ各データを使用したモノクロ画像において適切なランプ光量を得て、ノイズの少ない画像を得ることができ、ドロップアウトカラー生成機能に必要とされるような各画像データ出力のバランスを維持することが可能になる。
（２）　請求項２の発明に対応する効果
ランプにより照明された基準部を読み取ったときにライン毎に選択される画像データの変化に応じて、ＣＣＤラインセンサへの入射光量の変更制御における設定を調整するようにしたので、経時的な変化、特に青の蛍光体劣化といったことにより生じるランプ光量の変動に対しても適応して、上記（１）の効果を得ることが可能になる。
（３）　請求項３の発明に対応する効果
１ラインあたりのランプ点灯回数を制御してライン毎にＣＣＤラインセンサへの入射光量を変更するようにしたことにより、上記（１）、（２）を実現するための有効な手段を提供することが可能になる。
（４）　請求項４の発明に対応する効果
１発光あたりの発光デューティを制御してライン毎にＣＣＤラインセンサへの入射光量を変更するようにしたことにより、上記（１）、（２）を実現するための有効な手段を提供することが可能になる。
（５）　請求項５の発明に対応する効果
上記（１）〜（４）の効果を複写機、ファクシミリ、及びこれらの複合機、或いは画像データを蓄積するファイリング装置等の画像処理装置において実現することができ、画像処理装置の性能を向上させる。
【図面の簡単な説明】
【図１】本発明の実施形態に係るカラー画像読み取り装置の全体構成を概略図にて示すものである。
【図２】本発明の本実施形態に係わる画像読み取り装置の回路構成を示す全体ブロック図である。
【図３】本発明の本実施形態に係わる画像読み取り装置の画像データの処理フローを示す図である。
【図４】ドロップアウトカラー生成機能に関する画像データの処理に係わる回路の概略ブロック図を示す。
【図５】本発明の実施形態１に係わる点灯制御が可能なランプ電圧印加回路のブロック図を示す。
【図６】ランプＯＮ／ＯＦＦ信号ＣＮＴとライン同期信号ＴＧ−ＩＮＶのタイミングチャートを示す。
【図７】ライン同期信号ＴＧ−ＩＮＶとインバータ出力光波形のタイミングチャートを示す。
【図８】本発明の実施形態２に係わる点灯制御が可能なランプ電圧印加回路のブロック図を示す。
【図９】ライン同期信号ＴＧとＣＬＫ信号のタイミングチャートを示す。
【図１０】本発明の実施形態４に係わる点灯制御が可能なランプ電圧印加回路のブロック図を示す。
【図１１】ランプＯＮ／ＯＦＦ信号ＣＮＴとライン同期信号ＴＧ−ＩＮＶのタイミングチャートを示す。
【図１２】ライン同期信号ＴＧ−ＩＮＶとインバータ出力光波形のタイミングチャートを示す。
【図１３】ドロップアウトカラー生成時のＲ，Ｇ及びＢ時の１発光タイミングの概念を示す図である。
【図１４】図１０の回路において経時変化に対応して変更したＤｕｔｙを例示する。
【図１５】蛍光ランプの赤、緑、青の各光の発光特性を示す線図である。
【符号の説明】
２，１３３，１５３，１７３…白色露光ランプ、
７…ＳＣＵ（スキャナコントロールユニット）、
１０…ＳＢＵ（センサボードユニット）、
８…原稿台ガラス、　　　　　３２…アナログ処理回路、
３３…Ａ／Ｄコンバータ、　　　３５…ＲＩＰＵ（画像処理ユニット）、
４５…ＣＰＵ、　　　　　　　　　４７…カラーＣＣＤ、
１３４，１７４…発振部、　　１３５，１５４，１７５…点灯制御部
１７７…Ｄｕｔｙ制御部。
【図１】
2004112395.tif 000003
【図２】
2004112395.tif 000004
【図３】
2004112395.tif 000005
【図４】
2004112395.tif 000006
【図５】
2004112395.tif 000007
【図６】
2004112395.tif 000008
【図７】
2004112395.tif 000009
【図８】
2004112395.tif 000010
【図９】
2004112395.tif 000011
【図１０】
2004112395.tif 000012
【図１１】
2004112395.tif 000013
【図１２】
2004112395.tif 000014
【図１３】
2004112395.tif 000015
【図１４】
2004112395.tif 000016
【図１５】
2004112395.tif 000017